(57)【要約】      （修正有）【課題】セットが容易に出来、封筒郵便物に正確に貼る事が出来、封筒の開口部が剥がされたかどうか一目で分かる切り抜き掘り抜き安全テープのセットを提供する。【解決手段】安全テープと、安全テープ箱枠と、安全テープ押さえの組み合わせからなる、安全テープのセットにおいて、安全テープは、表面に凹凸と切込みと切り抜きを少なくとも一つはほどこされており、安全テープ箱枠は、封筒の周囲の形状を有する枠から構成される。安全テープ押さえは、使用者が安全テープ押さえを持つ為の部分１０と、当該部分に接続される部分１１または、台１２からなり、安全テープ箱枠にセットされた安全テープと封筒を、台により押さえる事により、安全テープを、封筒に貼るために用いられるものであることを、特徴とする。【選択図】図１２
0003201007.tif 000002
【実用新案登録請求の範囲】
【請求項１】
切り抜き彫り抜き安全テープ枠において、切り抜き彫り抜き安全テープは、極細極薄に厚さ細さを調節する事が出抜き泡状防止が出来、正確に貼る事が出来る切り抜き彫り抜き安全テープ押さえ枠
【考案の詳細な説明】
【技術分野】
【０００１】本考案は、お手紙・書類・郵便物・などの安全に関する物である。
【背景技術】
【０００２】現在一般的に各家庭の郵便物は、各家庭の郵便ポストに配られています。マンションなど郵便ポストが固まっている所もあります。ポストや届いた郵便物がどうも開けられていたような跡がある、などと集合住宅でも何人も言われている所も有ると言う事あります。
【考案の概要】
【考案が解決しようとする課題】
【０００３】郵便ポストに入っていなければならないはずの郵便物が入っておらず、とっくに届いていないといけない郵便物を確認したら差出人の方が送られた日からとっくに届いていなければいけないのに、随分遅れていたりポストの中が勝手に触られていたようだ、メール便なども開けられていたように開口部が剥がれていたなどと心配される方もおられます。【０００４】便物ポストに入っている書類などは、自分だけでは無く家族に関する情報書類なども入っています、守ってあげなければいけません。【０００５】いろんな機関から送られてくるお手紙、書類など送られてきて受け取った方にとってその情報は大切なものです、守ってあげなければいけません。
【課題を解決する為の手段】
【０００６】のりなどで開口部に封をしている封筒の片面全体を一度に綺麗に正確に貼り全体を押さえます。片面全体に安全テープで貼って押さえる為、剥がしたら安全テープを貼っていない封筒より跡が残り、簡単に跡が付かないように剥がせません。片面全体の封筒に会う形を切り、切り抜き彫り抜き安全テープの台紙を基に貼りたい部分に用いる事も出来ます。
【０００７】大切な書類など開けられないように開けたらすぐ分わかるようにします。切り抜き彫り抜き安全テープを貼ります。切り抜き彫り抜き安全テープは模様を入れ切り抜く為、極細部分が出来るので跡を残さずに剥がすことが出来ません。枠に合わせた台紙において封筒や書類に貼る部分を決めてセットすれば封筒のいろいろな部分に正確に貼る事も出来ます。テープの厚さは、極薄にも調節することが出来ます。彫り抜きデザインはテープの部分に模様を入れ表面の部分を彫り抜き凹凸を入れデザインを入れます。
切り抜き彫り抜き安全テープ、台紙がない場合や枠がない場合でも安全テープ押さえ部分に、積載された切り抜き彫り抜き安全テープを付け、封筒・書類などに貼る事が出来ます。
安全テープ押さえと積載された切り抜き彫り抜き安全テープは、安全テープ押さえにセット合わせる事が出来る為、取り付け部分を備える事が出来ます。
【考案の効果】
【０００８】剥した跡が分からないように剥がされていた、剥がされている部分があるなどとゆう声を聴いていましたが、これからは切り抜き彫り抜き安全テープをお手紙・書類・封筒開口部側全体に貼り剥がしたら剥がされた跡が残ります。剥そうとしたら模様デザインにより極細部分極薄部分が出来る為、切れたり形が壊れてしまったり、破れたり剥がされた跡が残るのですぐに分かります。
【０００９】お手紙や書類などの封筒開口部、のりを付けて封をしてある所の内側を見て剥がされていないか大丈夫だろうかと封筒の開口部内側を心配して確認してもなかなか自然なものか不自然なのかなかなか判断が一般の方では難しいところが有りますそれは、のりをして封をしている所を剥されてもその、封筒の開口部をまた上手にのりをされていたら表から見ても一般の方ではなかなか分かりませんその上その、のりを貼ってある開口部を心配しながら剥がしてみると益々わからなくなる可能性が有ります。封筒の片面開口部の全体の面に貼ると封筒の開口部の内側を見る前に安全テープを貼った開口部片面全体を外側から見るだけですぐに一目で確認できます切り抜き彫り抜き安全テープは、デザインにより極細・極薄部分を切り抜き彫り抜くことが出来るので、切り抜き彫り抜き安全テープを剥そうとしたらデザインにより極細極薄部分は切れたり剥がれたり剥がされた跡が残り、外側から一目で分かり、すぐに判断できるので容易に勝手に開ける事が出来ません。
【図面の簡単な説明】
【００１０】
【図１】安全テープ箱枠正面図
【図２】安全テープ箱枠横から見た図
【図３】安全テープ押さえ正面図
【図４】安全テープ押さえ横から見た図
【図５】安全テープ箱枠上から見た図
【図６】安全テープ押さえ上から見た図
【図７】切り抜き彫り抜き安全テープ貼って剥がせる台紙図
【図８】封筒に切り抜き彫り抜き安全テープ装着方法
【図９】切り抜き彫り抜き安全テープ全体図
【図１０】切り抜き安全テープ横から見た図
【図１１】彫り抜き安全テープ横から見た図
【図１２】安全テープ押さえに積載セットされた切り抜き彫り抜き安全テープ図、枠がなくても使用する事が出来ます。
【図１３】安全テープ押さえ枠とセット方法
【考案を実施するための形態】
【実施例】
【００１１】図１は安全テープ箱枠正面です。お手紙、書類などの封筒に安全テープを貼るとき封筒と安全テープがずれないように安全テープ箱枠で正確に固定します。【００１２】図２は、安全テープ箱枠横から見た図です。【００１３】図３は安全テープ押さえです。お手紙書類などの封筒に切り抜き彫り抜き安全テープを貼る時、正確に貼れるように上から安全テープ押さえで押さえます。積載された切り抜き彫り抜き安全テープを安全テープ押さえに取り付けセット・固定する事が出来、セットする為に取り付け部品を備える事も出来ます。【００１４】図４は、安全テープ押さえ横から見た図です。封筒や安全テープ箱枠に形を合わせる事が出来ます。【００１５】図５は、安全テープ箱枠上から見た図です。封筒や安全テープ押さえに形を合わせる事が出来ます。【００１６】図６は、安全テープ押さえ上から見た図です。【００１７】図７は、切り抜き彫り抜き安全テープです。切り抜き彫り抜き安全テープには貼って剥がせる台紙を挟んであります。切り抜き彫り抜き安全テープを使用する時には、貼って剥がせる台紙を切り抜き彫り抜き安全テープから剥がして使用します。台紙を挟まなくても使用する事が出来ます。【００１８】図８は、切り抜き彫り抜き安全テープ使用図です。安全テープ箱枠の一番底に切り抜き彫り抜き安全テープを置きます使用時には切り抜き彫り抜き安全テープ５に付いている貼って剥がせる台紙６を剥して使います。その上からお手紙、書類封筒など置きますが封筒開口部面を切り抜き彫り抜き安全テープの上に置きます。それから、切り抜き彫り抜き安全テープが正確に付くように安全テープ押さえで封筒を押さえます。【００１９】図９は、切り抜き彫り抜き安全テープ全体図です。切り抜き彫抜き安全テープは、安全テープ押さえに固定・セットする事も出来ます。【００２０】図１０は、切り抜き安全テープ横から見た拡大図です。【００２１】図１１は、彫り抜き安全テープ横から見た拡大図です。【００２２】図１２積載切り抜き彫り抜き安全テープを安全テープ押さえに固定・セットすることが出来ます。積載された切り抜き掘り抜き安全テープ押さえは、箱枠があっても無くても使用する事が出来ます。泡状防止の切込みを入れる事もできます積載された切り抜き彫り抜き安全テープは安全テープ押さえにセット固定して安全テープ押さえに付ける事が出来ます。セット方法はネジ式に回転させ合わせる方法・スライド式・フックや留め金を付ける事も出来・おうとつ・段など付け狭めた所にセット出来るようにする事も出来、伸縮が出来る素材も出来挟んで押さえて入れ込む方法などでセットする事も出来ます。
図１３は積載安全テープ押さえ枠ですセットする方法は上下に入れ込みセットする方法横から入れ込み固定する方法横から入り上下にセットする方法、図１２の固定セットする方法も合わせる事が出来ます。
【符号の説明】
【００２３】１．  安全テープ箱枠の枠
２．  安全テープ箱枠の底
３．  安全テープ押さえを持つところ
４．  安全テープ押さえの台
５．  切り抜き彫り抜き安全テープ
６．  切り抜き彫り抜き安全テープ貼って剥がせる台紙
７．  封筒
８．  切り抜き安全テープ
９．  彫抜き安全テープ
１０．積載安全テープ押さえを持つところ
１１．積載安全テープ押さえの台
１２．積載安全テープ押さえの積載安全テープ
１３．積載安全テープ押さえ枠
１４・積載安全テープ押さえ枠ネジ
【図１】
0003201007.tif 000003
【図２】
0003201007.tif 000004
【図３】
0003201007.tif 000005
【図４】
0003201007.tif 000006
【図５】
0003201007.tif 000007
【図６】
0003201007.tif 000008
【図７】
0003201007.tif 000009
【図８】
0003201007.tif 000010
【図９】
0003201007.tif 000011
【図１０】
0003201007.tif 000012
【図１１】
0003201007.tif 000013
【図１２】
0003201007.tif 000014
【図１３】
0003201007.tif 000015
【手続補正書】
【提出日】平成27年5月7日(2015.5.7)
【手続補正１】
【補正対象書類名】実用新案登録請求の範囲
【補正対象項目名】全文
【補正方法】変更
【補正の内容】
【実用新案登録請求の範囲】
【請求項１】
切り抜き彫り抜き安全テープ枠において切り抜き彫り抜き安全テープは、凹凸が備えられており切込みが入り、安全テープ・安全テープ枠は、封筒の形状に配置され、安全テープ・安全テープ押さえ・安全テープ枠からなるセットを備えた切り抜き彫り抜き安全テープ枠。
【手続補正書】
【提出日】平成27年8月6日(2015.8.6)
【手続補正１】
【補正対象書類名】明細書
【補正対象項目名】全文
【補正方法】変更
【補正の内容】
【考案の詳細な説明】
【技術分野】
【０００１】本考案は、お手紙・書類・郵便物・などの安全に関する物である。【０００２】現在一般的に各家庭の郵便物は、各家庭の郵便ポストに配られています。マンションなど郵便ポストが固まっている所もあります。ポストや届いた郵便物がどうも開けられていたような跡がある、などと集合住宅でも何人も言われている所も有ると言う事があります。
【考案の概要】
【考案が解決しようとする課題】
【０００３】郵便ポストに入っていなければならないはずの郵便物が入っておらず、とっくに届いていないといけない郵便物を確認したら差出人の方が送られた日からとっくに届いていなければいけないのに、随分遅れていたり、ポストの中が勝手に触られていたようだ、メール便なども開けられていたように開口部が剥がれていたなどと心配される方もおられます。【０００４】便物ポストに入っている書類などは、自分だけでは無く家族に関する情報書類なども入っています、守ってあげなければいけません。【０００５】いろんな機関から送られてくるお手紙、書類など送られてきて受け取った方にとって、その情報は大切なものです、守ってあげなければいけません。
【課題を解決する為の手段】
【０００６】のりなどで開口部に封をしている封筒の片面全体を一度に綺麗に正確に貼り全体を押さえます。片面全体に安全テープセットで貼って押さえる為、剥がしたら切り抜き彫り抜き安全テープを貼っていない封筒より跡が残り、簡単に跡が付かないように剥がせません。片面全体の封筒に会う形を切り、安全テープの台紙を基に貼りたい部分に用いる事も出来ます。
【０００７】大切な書類など開けられないように開けたらすぐ分わかるようにします。安全テープを貼ります。切り抜き彫り抜き安全テープは模様を入れ切り抜く為、極細部分が出来るので跡を残さずに剥がすことが出来ません。枠に合わせた台紙において封筒や書類に貼る部分を決めてセットすれば封筒のいろいろな部分に正確に貼る事も出来ます。テープの厚さは、極薄にも調節することが出来、テープの部分に模様を入れ表面の部分を彫り抜き凹凸を入れデザインを入れる事もできます。
【考案の効果】
【０００８】剥した跡が分からないように剥がされていた、剥がされている部分があるなどとゆう声を聴いていましたが、これからは切り抜き彫り抜き安全テープセットをお手紙・書類・封筒開口部側全体に貼り剥がしたら剥がされた跡が残ります。剥そうとしたら模様デザインにより極細部分極薄部分が出来る為、切れたり形が壊れてしまったり、破れたり剥がされた跡が残るのですぐに分かります。
【０００９】お手紙や書類などの封筒開口部、のりを付けて封をしてある所の内側を見て剥がされていないか大丈夫だろうかと封筒の開口部内側を心配して確認しても自然なものか不自然なのかなかなか判断が一般の方では難しいところが有りますそれは、のりをして封をしている所を剥されてもその、封筒の開口部をまた上手にのりをされていたら表から見ても最初からなのか一般の方では、なかなか分かりませんその上その、のりを貼ってある開口部を心配しながら剥がしてみると益々わからなくなる可能性が有ります。封筒の片面開口部の全体の面に貼ると封筒の開口部の内側を見る前に安全テープを貼った開口部片面全体を外側から見るだけですぐに一目で確認できます。切り抜き彫り抜き安全テープは、デザインにより極細・極薄部分を切り抜き彫り抜くことが出来るので、切り抜き彫り抜き安全テープを剥そうとしたらデザインにより極細極薄部分は切れたり剥がれたり剥がされた跡が残り、外側から一目で分かり、すぐに判断できるので容易に勝手に開ける事が出来ません。
【図面の簡単な説明】
【００１０】
【図１】安全テープ箱枠正面図
【図２】安全テープ箱枠横から見た図
【図３】安全テープ押さえ正面図
【図４】安全テープ押さえ横から見た図
【図５】安全テープ箱枠上から見た図
【図６】安全テープ押さえ上から見た図
【図７】切り抜き彫り抜き安全テープ貼って剥がせる台紙図
【図８】封筒に切り抜き彫り抜き安全テープ装着方法
【図９】切り抜き彫り抜き安全テープ全体図
【図１０】切り抜き安全テープ横から見た図
【図１１】彫り抜き安全テープ横から見た図
【図１２】安全テープセットにセットされた切り抜き彫り抜き安全テープ、安全テープ押さえ、安全テープ押さえ枠図。
【図１３】切り抜き彫り抜き安全テープ押さえ枠とセット方法図
【考案を実施するための形態】
【実施例】
【００１１】図１は安全テープ箱枠正面です。お手紙、書類などの封筒に安全テープを貼るとき封筒と安全テープがずれないように安全テープ箱枠で正確に固定します。【００１２】図２は、安全テープ箱枠横から見た図です。【００１３】図３は安全テープ押さえです。お手紙書類などの封筒に切り抜き彫り抜き安全テープを貼る時、正確に貼れるように上から安全テープ押さえで押さえます。積載された切り抜き彫り抜き安全テープを安全テープ押さえに取り付けセット・固定する事が出来、セットする為に取り付け部品を備える事が出来ます。【００１４】図４は、安全テープ押さえ横から見た図です。封筒や安全テープ箱枠に形を合わせる事が出来ます。【００１５】図５は、安全テープ箱枠上から見た図です。封筒や安全テープ押さえに形を合わせる事が出来ます。【００１６】図６は、安全テープ押さえ上から見た図です。【００１７】図７は、切り抜き彫り抜き安全テープです。切り抜き彫り抜き安全テープには貼って剥がせる台紙を挟んであります。切り抜き彫り抜き安全テープを使用する時には、貼って剥がせる台紙を切り抜き彫り抜き安全テープから剥がして使用します。【００１８】図８は、切り抜き彫り抜き安全テープ使用図です。安全テープ箱枠の底に切り抜き彫り抜き安全テープを置きます使用時には切り抜き彫り抜き安全テープ５に付いている、貼って剥がせる台紙６を剥して使います。その上からお手紙、書類封筒など置きますが封筒開口部面を切り抜き彫り抜き安全テープの上に置きます。それから、切り抜き彫り抜き安全テープが正確に付くように安全テープ押さえで封筒を押さえます。【００１９】図９は、切り抜き彫り抜き安全テープ全体図です。切り抜き彫抜き安全テープは、安全テープ押さえに固定・セットする事も出来ます。【００２０】図１０は、切り抜き安全テープ横から見た拡大図です。【００２１】図１１は、彫り抜き安全テープ横から見た拡大図です。【００２２】図１２切り抜き彫り抜き安全テープを安全テープ押さえ枠に固定・セットすることが出来ます。セット方法はネジ式に回転させ合わせる方法・スライド式・フックや留め金・を付ける事も出来・おうとつ・段など付け狭めた所にセット出来るようにする事も出来、伸縮が出来る素材も出来挟んで押さえて入れ込む方法などでセットする事も出来ます。【００２３】図１３は、切り抜き彫り抜き安全テープ押さえ枠です。セットする方法は、上下に入れ込みセットする方法、横から入れ込固定するする方法、横から入り上下にセットする方法、図１２の固定する方法も合わせる事が出来ます。縦横幅の調節を行う事が出来る調節内枠。
【符号の説明】
【００２４】１．  安全テープ 箱枠の枠２．  安全テープ箱枠の底３．  安全テープ押さえを持つところ４．  安全テープ押さえの台５.   切り抜き彫り抜き安全テープ６．  切り抜き彫り抜き安全テープ貼って剥がせる台紙７．  封筒８．  切り抜き安全テープ９．  彫抜き安全テープ１０・切り抜き彫り抜き安全テープ押さえ枠を持つところ１１・切り抜き彫り抜き安全テープ押さえ枠支柱１２・切り抜き彫り抜き安全テープ押さえ枠台１３・切り抜き彫り抜き安全テープ押さえ枠１４・切り抜き彫り抜き安全テープ押さえ枠ネジ１５・切り抜き彫り抜き安全テープ押さえ幅調節内枠
【手続補正２】
【補正対象書類名】実用新案登録請求の範囲
【補正対象項目名】全文
【補正方法】変更
【補正の内容】
【実用新案登録請求の範囲】
【請求項１】
安全テープと、安全テープ箱枠と、安全テープ押さえの組み合わせからなる、安全テープのセットにおいて、安全テープは、表面に凹凸と切込みと切り抜きを少なくとも一つはほどこされており、安全テープ箱枠は、封筒の周囲の形状を有する枠から構成され、安全テープ押さえは、使用者が安全テープ押さえを持つ為の部分と、当該部分に接続される部分または、台からなり、安全テープ箱枠にセットされた安全テープと封筒を、台により押さえる事により、安全テープを、封筒に貼るために用いられるものであることを、特徴とする安全テープのセット。
【手続補正３】
【補正対象書類名】図面
【補正対象項目名】図１２
【補正方法】変更
【補正の内容】
【図１２】
0003201007.tif 000016
【手続補正４】
【補正対象書類名】図面
【補正対象項目名】図１３
【補正方法】変更
【補正の内容】
【図１３】
0003201007.tif 000017